(57)【要約】【課題】簡単が構造で球送りの動作を確実に行うことができる球供給機構を備えた弾球発射装置を提供する。【解決手段】モーター４の回転軸４１に挿着された槌駆動カム４２により回動される弾球槌３と、弾球を遊技盤に案内する１次レール２とが取り付けられた台板１上に、１次レール２の球発射位置に球を供給する球送りレバー６を直接軸着したうえに、モーター４の回転軸４１には球送りレバー揺動用の部材を装着して、モーター４により弾球槌３を回動させるとともに球送りレバー６を直接揺動させる。球送り部材揺動用の部材として、作動カム４４又は突起を設けた槌駆動カム４２又はリンク棒１００を用いる。【選択図】    図３
2004187914.tif 000002
【特許請求の範囲】
【請求項１】
モーターの回転軸に軸着された槌駆動カムにより回動される弾球槌と、弾球を遊技盤に案内する１次レールとが取り付けられた台板上に、１次レールの球発射位置に球を供給する球送りレバーを直接軸着したうえに、前記モーターの回転軸には球送りレバー揺動用の部材を装着したことを特徴とする遊技機の弾球発射装置。
【請求項２】
球送りレバー揺動用の部材を作動カムとして、該作動カムにより球送りレバーの一端を間欠的に押圧して球送りレバーを揺動させるようにした請求項１に記載の遊技機の弾球発射装置。
【請求項３】
槌駆動カムの側面に突起を設けてこれを球送りレバー揺動用の部材とし、球送りレバーの一端には前記突起が嵌入される切込みを設けて、槌駆動カムと一体に前記突起を回転させることによって球送りレバーを揺動させるようにした請求項１に記載の遊技機の弾球発射装置。
【請求項４】
球送りレバー揺動用の部材をリンク棒とし、このリンク棒の一端を槌駆動カムの側面に軸着するとともに他端を揺動レバーの一端に軸着して球送りレバーを揺動させるようにしたことを特徴とする請求項１に記載の遊技機の弾球発射装置。
【発明の詳細な説明】
【０００１】
【発明の属する技術分野】
本発明は、構造が簡単であって且つ球送り操作が確実な球供給機構を備えた遊技機の弾球発射装置に関するものである。
【０００２】
【従来の技術】
パチンコ遊技機の正面下部には、球を上方の遊技盤内に打込むための弾球発射装置が設けられているが、この弾球発射装置は、弾球槌とこの弾球槌を回動するモーターとからなる弾球機構と、球を１次レールの球発射位置に供給する球供給機構とを備えているものである。すなわち、弾球機構は、球供給機構により１次レールの球発射位置に一定のタイミングで供給された球を弾球槌により弾球して球を発射する。また、球供給機構は、上皿から導入した球をストッパーの間歇駆動により球の供給口を開閉することで、球を一定のタイミングで１次レールの球発射位置に供給する。
【０００３】
しかしながら、従来の弾球発射装置においては特開２００１−１０４５５１号公報に示されているように、球供給機構はケース内に備えられていてこのケースが台板に枢着されるもので、弾球機構とは別個に構成されたものであったので、部品点数の増大、装置全体の大型化、球送り構造の複雑化を招くものであった。また、この球供給機構においては、上皿から導入した球を遊技機の板面に向けて前から後ろ方向に送り出したうえ、その後球が１次レールの上を弾球発射装置まで若干下るという前後左右の３次元的な移動を伴うものであったので、球の流路が長くなって球の静止までに時間がかかるという問題があった。また、前記したストッパーは弾球槌を回動するモーターに直接係合して作動するものではなかったので、球送りの動作が不確実で球流路の複雑さと相俟って球詰まりなどの球の供給トラブルを発生し易く、又弾球槌作動の安定性に欠けるという問題があった。
【０００４】
【特許文献１】特開２００１−１０４５５１号公報（第４頁、図３）
【０００５】
【発明が解決しようとする課題】
本発明は上記した従来の問題点を解決し、簡単な構造にして球送りの動作を確実に行うことができる球供給機構を備えた遊技機の弾球発射装置を提供するためになされたものである。
【０００６】
【課題を解決するための手段】
上記の課題を解決するためになされた本発明の遊技機の弾球発射装置は、モーターの回転軸に軸着された槌駆動カムにより回動される弾球槌と、弾球を遊技盤に案内する１次レールとが取り付けられた台板上に、１次レールの球発射位置に球を供給する球送りレバーを直接軸着したうえに、前記モーターの回転軸には球送りレバー揺動用の部材を装着したことを特徴とするものである。
【０００７】
なお、球送りレバー揺動用の部材を作動カムとして、該作動カムにより球送りレバーの一端を間欠的に押圧して球送りレバーを揺動させることができ、また、槌駆動カムの側面に突起を設けてこれを球送りレバー揺動用の部材とし、球送りレバーの一端には前記突起が嵌入される切込みを設けて、槌駆動カムと一体に前記突起を回転させることによって球送りレバーを揺動させることができ、また、球送りレバー揺動用の部材をリンク棒とし、このリンク棒の一端を槌駆動カムの側面に軸着するとともに他端を揺動レバーの一端に軸着して球送りレバーを揺動させることができる。
【０００８】
【発明の実施の形態】
以下に図面を参照しつつ本発明の好ましい実施形態を説明する。
本発明の第１の実施形態の弾球発射装置を図１〜２に示す。図において１は金属製の台板であって、この台板１には、弾球を上方の遊技盤に案内する１次レール２と、弾球槌３とモーター４を主要構成とする弾球機構５が配設されているうえに、球送りレバー６が直接台板１に軸着されている。この球送りレバー６はカバー６０により覆われている。
【０００９】
弾球槌３は弾球バネ３１を有する先端を下向きとし、ベアリング３２により支持された支軸３３を中心に回動する。支軸３３には弾球槌３と一体に回動する弾球槌駆動用のアーム７と、弾球槌３を球発射方向に付勢する捻りコイルバネ７１が挿着され、また、モーター４の回転軸４１には板状の槌駆動カム４２が軸着されている。３４、３５は弾球槌３の回動を制止するクッション体からなるストッパーである。
【００１０】
８は弾球力の調整装置であって、この調整装置８は捻りコイルバネ７１の一端が掛着された調整レバー８１とワイヤ−８２とからなり、ワイヤー８２の一端は調整レバー８１に固定され他端は操作ハンドルの回動軸９に設けられた回動片９１に取付けられている。操作ハンドルを回動することにより回動片９１がワイヤー８２を引張り、調整レバー８１が回動されることによって支軸３３に装着された捻りコイルバネ７１が捻回させられるので、操作ハンドルの回動の程度により弾球力を調整することができる。
【００１１】
上記した弾球発射装置の要部詳細を図３に示すが、槌駆動カム４２は、円弧状の周縁部が回転軸４１から徐々に距離を変化させるように形成されており、この周縁部がアーム７の先端に軸着されたコロ７２と間欠的に係合して、球を発射した弾球槌３を次球発射準備のために後退回動させる。槌駆動カム４２の側面の平坦部には、回転軸４１に偏心して形成された半円形の突条４３が球送りレバー揺動用の作動カム４４として槌駆動カム４２と一体に設けられて軸着されている。また、球送りレバー６は台板１に設けた支軸６１に軸着されており、支軸６１には図２にみるように小バネ６５が挿着されていて玉送りレバー６を玉送り出し方向に付勢している。球送りレバー６は、台板１の板面に対して左右の横方向に揺動可能であって、その先端には二股状に分岐した球保持部６２を有し、後端部６３の一側が作動カム４４と間欠的に係合する。球保持部６２は上皿からカバー６０の球導入口６４を経由して受け入れた球を二股の間に受け入れて受け台６６上に仮保持する。
【００１２】
上記した弾球発射装置における球の供給、発射のメカニズムを、図３〜６により説明する。
図３においては、槌駆動カム４２とアーム７との係合が解除されて弾球槌３は弾発されて回動して球が発射された直後の状態である。この状態では、球送りレバー６はなお球送りレバー揺動用の作動カム４４により球払い出し方向への回動を規制されていて下向きのままであって、次球は球保持部６２内に保持されている。そして、玉送りレバー６と作動カム４４との係合が解除されたとたんに、前記した小バネ６５の付勢により、図４に示すように球保持部６２が球を送り出す方向に（時計回り方向に）回動されて玉を瞬時に受け台６６から１次レール２の上に落下させる。
【００１３】
次いで、槌駆動カム４２の回動が進むと、図５に示すように、作動カム４４が球送りレバー６の後端部６３を押圧するので球送りレバー６は半時計回り方向に後退回動される。同時に槌駆動カム４２がアーム７を押圧してこれを半時計回り方向に回動するので、弾球槌３も半時計回り方向に一体に回動される。そして、図６に示すように、玉送りレバー６がほぼ垂直に下向きとなって玉が球保持部６２に取り込まれて後に、まもなく弾球槌３は最大に回動されて玉発射の準備が完了する。次に槌駆動カム４２とアーム７との係合が解除されたときに、図３に示したようにして弾球槌３は次球を発射することができる。以上のような動作を繰り返すことによって、弾球発射装置は球を連続的に打ち出すことができる。
【００１４】
上記した実施形態において球送りレバー６は１次レール２の幅以下の厚みとしてあるので、上皿の形状を単純なものとすることができる。また、球保持部６２に取り込まれた球は、球保持部６２により受け台６６上を横方向に移動された後に１次レール２上に縦方向に落下するという一平面内の移動であって、従来のような台板１の板面に対して前後方向の移動はない。また、球が１次レール２に落下するまでの経路を大幅に短いものとすることができるので、球の経路を簡単にして短時間に玉を送り出すことができる。
【００１５】
図７に第２の実施形態の弾球発射装置の要部を示す。この実施形態においては、槌駆動カム４２の側面の平坦部に支軸４１から離間して突起４６が形成されている。一方、球送りレバー６の後端部６３には切込み６７が形成してあって、突起４６は槌駆動カム４２と一体に支軸４１を周回することによって、切込み６７内を摺動して球送りレバー６を揺動させる。すなわち、図７から図１０の状態へと順次移行することによって、球送りレバー６は球を送り出したのちに次球を球保持部６２に取り込むことができる。球送りレバー６の揺動と弾球槌３の回動の連係状態は第１の実施形態と同じであって、図７〜１０はそれぞれ図３〜６に対応している。
【００１６】
以上のようなカム機構に代えて球送りレバー６を、図１１、１５に示すようなリンク機構によって揺動させることもできる。図においてモータ−４の回転軸４１には勾玉に似た形状の槌駆動カム４２と、このカム４２の平坦部に一体に形成された偏心カム４７とが軸着されているが、偏心カム４７は槌駆動カム４２と同軸であって回転軸４１に軸着されている。この偏心カム４７にはリンク棒１００の一端に設けられた環状の嵌合部１０１が嵌め込まれており、リンク棒１００の他端は球送りレバー６の中ほどに連結部１０２により揺動可能に軸着されている。したがって、モータ−４の回転運動をリンク棒１００により往復直線運動に変換して球送りレバー６を左右に揺動させることができる。図１１〜１４に示すように、回転軸４１が回転するに従って槌駆動カム４２が弾球槌３を回動するとともに、リンク棒１００を介して玉送りレバー６が揺動されるので、第１及び第２の実施形態の場合と同じようにして球送りレバー６は球の送り出しと取り込み動作を確実に行うので、弾球槌３は安定して球の発射を行うことができる。なお、リンク棒１００の一端を、槌駆動カム４２の側面に設けた突起などにより回転軸４１から離間して軸着することによっても、偏心カム４７を用いることなく球送りレバー６を揺動させることができる。
【００１７】
【発明の効果】
以上に説明したように、本発明の遊技機の弾球発射装置は１次レールの球発射位置に球を供給する球送りレバーを直接軸着したので、弾球発射装置を球供給機構が備えられた一体のユニットとすることができて、装置全体の小型化、部品点数の削減を図ることができる。また、モーターの回転軸には球送りレバー揺動用の部材を装着したので、球送りレバーの揺動を弾球槌の回動に対して自由に設定できるので、理想的なタイミングで球を供給することができる。また、球送りレバーの作動を緩やかなものとすることができるので、その作動を耐久性のあるものとして球の供給を確実に行うことができる。また、球送りレバー用の部材を、作動カム、又は突起を設けた槌駆動カム、又はリンク棒として球送りレバーを揺動させるようにしたので、弾球槌の回動に対応して球の供給を確実に行うことができる。又、球送りレバー揺動用の作動力が弾球槌の発射作動に影響を及ぼすことがないので、弾球槌を安定して作動させることができる。
したがって、本発明は簡単な構造にして球の発射を安定して行うことができるという大きな利点を有する。
【図面の簡単な説明】
【図１】本発明の弾球発射装置の正面図である。
【図２】本発明の弾球発射装置の側面図である。
【図３】球発射直後の弾球発射装置の要部正面図である。
【図４】球送りレバーが後退開始直前である弾球発射装置の要部正面図である。
【図５】球送りレバーが後退途中である弾球発射装置の要部正面図である。
【図６】球送りレバーが後退完了した弾球発射装置の要部正面図である。
【図７】第２の実施形態の弾球発射装置の要部正面図である。
【図８】球送りレバーが玉を送出した状態である第２実施形態の弾球発射装置の要部正面図である。
【図９】球送りレバーが後退中である第２実施形態の弾球発射装置の要部正面図である。
【図１０】球送りレバーが後退完了した第２実施形態の弾球発射装置の要部正面図である。
【図１１】第３実施形態の弾球発射装置の要部正面図である。
【図１２】球送りレバーが玉を送出した状態である第の実施形態の弾球発射装置の要部正面図である。
【図１３】球送りレバーが後退中である第３実施形態の弾球発射装置の要部正面図である。
【図１４】球送りレバーが後退完了した第３実施形態の弾球発射装置の要部正面図である。
【図１５】第３実施形態の弾球発射装置の平面図である。
【符号の説明】
１  台板
２  １次レール
３  弾球槌
４  モーター
４１  回転軸
４２  槌駆動カム
４４  球送りレバー揺動用の作動カム
６  球送りレバー
１００  リンク棒
【図１】
2004187914.tif 000003
【図２】
2004187914.tif 000004
【図３】
2004187914.tif 000005
【図４】
2004187914.tif 000006
【図５】
2004187914.tif 000007
【図６】
2004187914.tif 000008
【図７】
2004187914.tif 000009
【図８】
2004187914.tif 000010
【図９】
2004187914.tif 000011
【図１０】
2004187914.tif 000012
【図１１】
2004187914.tif 000013
【図１２】
2004187914.tif 000014
【図１３】
2004187914.tif 000015
【図１４】
2004187914.tif 000016
【図１５】
2004187914.tif 000017